(57)【特許請求の範囲】
【請求項１】
画像を投映する投映部と、
前記投映部による投映の開始指示を行う投映指示部と投映された前記画像のピント調節を行うフォーカス操作部とを一体として有する操作部と、を備え、
前記操作部は、前記投映指示部の周囲に前記フォーカス操作部を備え、
前記投映指示部の操作と前記フォーカス操作部の操作とが独立していること
を特徴とする電子機器。
【請求項２】
前記フォーカス操作部は、回転動作により前記ピント調節を行うこと
を特徴とする請求項１に記載の電子機器。
【請求項３】
前記フォーカス操作部は、円板形状を有し、回転力量を適正化する回転力量調節部と、前記円板形状の側壁部に設けられた滑り止め部とを備えること
を特徴とする請求項２に記載の電子機器。
【請求項４】
前記投映指示部または前記投映指示部の近傍に、前記投映部による投映の開始指示を示す投映指標を備えること
を特徴とする請求項１〜３の何れか一項に記載の電子機器。
【請求項５】
前記フォーカス操作部または前記フォーカス操作部の近傍に、前記画像のピント調節を示すフォーカス操作指標を備えること
を特徴とする請求項１〜４の何れか一項に記載の電子機器。
【発明の詳細な説明】
【技術分野】
【０００１】
本発明は、電子機器に関するものである。
【背景技術】
【０００２】
投映面における投映画像のピントを調節可能な電子機器が知られている（例えば、特許文献１参照）。この電子機器においては、スライド式のレバーを用いて投映画像のピント調節を行う。
【先行技術文献】
【特許文献】
【０００３】
【特許文献１】特開２００８−２５００４８号公報
【発明の概要】
【発明が解決しようとする課題】
【０００４】
ところで、この電子機器においては、投映の開始指示を行うプロジェクタボタンとピント調節を行うフォーカスレバーの位置が離れていたため、投映に関する操作を行う際の操作性の向上が求められていた。
【０００５】
本発明の目的は、投映に関する操作を行う際の操作性に優れた電子機器を提供することである。
【課題を解決するための手段】
【０００６】
本発明に係る電子機器は、画像を投映する投映部と、前記投映部による投映の開始指示を行う投映指示部と投映された前記画像のピント調節を行うフォーカス操作部とを一体として有する操作部と、を備え、前記操作部は、前記投映指示部の周囲に前記フォーカス操作部を備え、前記投映指示部の操作と前記フォーカス操作部の操作とが独立していることを特徴とする。
【発明の効果】
【０００７】
本発明によれば、投映に関する操作を行う際の操作性に優れた電子機器を提供することができる。
【図面の簡単な説明】
【０００８】
【図１】本発明の実施の形態に係るカメラの外観を示す斜視図である。
【図２】本発明の実施の形態に係るカメラの上面の一部を示す図である。
【図３】本実施の形態に係るカメラのフォーカスレンズ駆動機構を正面から視た図である。
【発明を実施するための形態】
【０００９】
以下、図面を参照して実施の形態に係るカメラについて説明する。図１は実施の形態に係るカメラの外観を示す斜視図であり、図２は実施の形態に係るカメラの上面の一部を示す図である。カメラ２はプロジェクタを備えるデジタルカメラであって、カメラ２の前面には被写体光を入射させる撮影窓６、画像を投映するプロジェクタ投映窓８が設けられている。また、カメラ２の上面には、レリーズ指示を行うレリーズボタン１０、電源スイッチ１２、プロジェクタによる投映の開始指示を行うプロジェクタボタン１６、プロジェクタにより投映される画像のピント調節を行うフォーカスダイヤル１８が設けられている。ここで、プロジェクタボタン１６は円板形状を有するフォーカスダイヤル１８の略中央にフォーカスダイヤル１８と一体に設けられ、プロジェクタボタン１６とフォーカスダイヤル１８とはそれぞれ独立して操作可能に構成されている。
【００１０】
また、フォーカスダイヤル１８は回転可能に構成され、フォーカスダイヤル１８の側壁部には天面に達する複数の縦方向の溝２０が設けられている。また、フォーカスダイヤル１８の内部には不図示のばねが設けられ、フォーカスダイヤル１８の回転操作が行われる際にフリクションを発生させる。従って、フォーカスダイヤル１８に操作力を加える際に指の滑りを防止することができると共に、操作力が加えられた際に回転力量の適正化を図ることができ、ピントの微調節が可能となる。
【００１１】
また、プロジェクタボタン１６には投映開始指示を行うためのボタンであることを示す投映指標２２が設けられ、カメラ２の上面におけるフォーカスダイヤル１８の近傍にはフォーカスダイヤル１８のピント調節方向を示すフォーカス指標２４，２６が設けられている。ここで、フォーカス指標２４は投映画像のピントをカメラ２から遠ざけることを示し、フォーカス指標２６は投映画像のピントをカメラ２に近づけることを示している。即ち、フォーカスダイヤル１８が反時計回りに操作されるとフォーカス位置を示すポインタ２３がフォーカス指標２４側へ移動し、投映画像のピントがカメラ２から遠ざかる。また、フォーカスダイヤル１８が時計回りに操作されるとフォーカス位置を示すポインタ２３がフォーカス指標２６側へ移動し、投映画像のピントがカメラ２側へ近づく。
【００１２】
なお、投映指標２２はフォーカスダイヤル１８の回転操作が行われると、それに伴い回転するように構成してもよいし、フォーカスダイヤル１８の回転操作が行われた場合であっても回転しないように構成してもよい。
【００１３】
図３は、本実施の形態に係るカメラのフォーカスレンズ駆動機構を正面から視た図である。フォーカスダイヤル１８は、カメラ２の上面に取付部３２を介して回転可能に取り付けられている。また、フォーカスダイヤル１８は接続ピン３４を介して連結部材３６の一方の端部に取り付けられている。また、カメラ２の上面における接続ピン３４が貫通する部分には図示しない円弧状の貫通穴が設けられ、フォーカスダイヤル１８の回転可能角度は貫通穴により規定される。なお、フォーカスダイヤル１８の回転可能角度は３６０°未満であり、本実施の形態においては１２０°である。
【００１４】
図３における連結部材３６のもう一方の端部には伝達部材４０に設けられたピン３８が取り付けられている。伝達部材４０は、投影光学系４２を構成するフォーカスレンズ４２ｂを駆動するために設けられた略Ｌ字状に形成された部材であり、Ｌ字状を構成する腕４０ａと腕４０ｂとの交差部分４４においてカメラ２の筐体に回動可能に軸支されている。また、図３における腕４０ｂの右端部には、略Ｕ字状の切欠部４６が設けられ、切欠部４６にはフォーカスレンズ４２ｂに設けられたピン４３が嵌挿されている。従って、切欠部４６によりフォーカスレンズ４２ｂの上下方向の移動が規制される。また、フォーカスレンズ４２ｂはプロジェクタユニット４８のケース内に配設されており、プロジェクタユニット４８のケース内において上下方向に移動する。
【００１５】
ここで、プロジェクタユニット４８は、光源であるＬＥＤ（発光ダイオード）５０、ＬＥＤ５０から射出された光を集光する集光レンズ５２、投映画像を表示するＬＣＯＳ（反射型液晶素子）５４、入射した光をＰ偏光成分の光とＳ偏光成分の光とに分離するＰＢＳ（偏光ビームスプリッタ）５６を備え、ＰＢＳ５６から図３における上方へ射出された光はフォーカスレンズ４２ｂに入射する。また、フォーカスレンズ４２ｂに入射した光はフォーカスレンズ４２ｂの上方に設けられたズームレンズ４２ａを透過した後、不図示のミラーによって反射されプロジェクタ投映窓８からカメラ２の前方へ射出される。
【００１６】
上述のように構成されるフォーカスレンズ駆動機構においては、図２において反時計回りにフォーカスダイヤル１８が操作されると、図３において２点鎖線で示すように接続ピン３４と共に連結部材３６が右方向へ移動する。このとき、ピン３８及び腕４０ａは鉛直方向に対して右側に傾き、腕４０ｂの右端が下方へ移動する。従って、フォーカスレンズ４２ｂは下方へ移動し、ピントがカメラ２に近い側に調節される。
【００１７】
同様にして、図２おいて時計回りにフォーカスダイヤル１８が操作されると、フォーカスレンズ４２ｂは上方へ移動し、ピントがカメラ２から遠い側に調節される。
【００１８】
本実施の形態に係るカメラによれば、プロジェクタボタンとフォーカスダイヤルとを一体として設けたため、投映に関する操作を行う際の操作性を優れたものとすることができる。また、撮影に関する操作を行う操作部と投映に関する操作を行う操作部とをユーザは直感的に判別することができる。
【００１９】
また、フォーカスダイヤルに溝を設け、また、フォーカスダイヤルの内部にばねを設けることにより、使用者がフォーカスダイヤルの回転操作を行う際の指掛かりを良好なものとし、ピントの微調節を行うことができると共にエルゴノミー性の向上を図ることができる。また、投映に関する操作部に指標を付したため、使用者が操作機能を容易に判別することができる。
【００２０】
なお、上述の実施の形態において、投映指標２２及びフォーカス指標２４，２６をＬＥＤ等により構成して発光させるようにしてもよい。この場合においては、カメラ２の電源が入った状態で投映を行っていない場合には、投映指標２２のみの発光を行う。また、プロジェクタボタン１６の操作により投映の開始指示が行われると、フォーカス指標２４，２６の発光を開始する。従って、投映が行われている間は投映指標２２及びフォーカス指標２４，２６の発光を行う。
【００２１】
また、上述の実施の形態においては、フォーカス指標２４，２６をカメラ２の上面に設けられたフォーカスダイヤル１８の近傍に設ける構成として説明したが、フォーカス指標２４，２６をフォーカスダイヤル１８上に設ける構成としてもよい。
【符号の説明】
【００２２】
２…カメラ、１６…プロジェクタボタン、１８…フォーカスダイヤル、２２…投映指標、２４，２６…フォーカス指標、４２ｂ…フォーカスレンズ、４８…プロジェクタユニット
【図１】
0005707774.tif 000002
【図２】
0005707774.tif 000003
【図３】
0005707774.tif 000004